(57)【要約】【課題】ツボへの刺激の手段として、針、熱冷刺激としての灸、圧迫、摩擦、振動、光線、磁力、薬物、電流刺激等があるが、それらはいずれもツボなる部分を直接刺激することが必要であった。ところが肛門或いはその周辺部分は、臀部が邪魔をし、直接刺激することはできなかった。  また、該肛門周辺には肛門括約筋があり、肛門の閉鎖に重要な役割を有している。当該部分にもツボが存在することは知られているが、上記のようにその部分を直接刺激することはできなかった。【解決手段】臀部により隠蔽されている肛門及びその周辺部を直接刺激することが可能な腰掛式肛門部刺激具に関するもので、その具体的構成は、硬質或いは軟質の板面部及び該板面部の中央部より隆起した突出部とより構成され、該突出部は横幅約２０〜５０ｍｍ、前後の長さ約５０〜１５０ｍｍ、頂部までの高さ約３０〜１００ｍｍとし、該頂部面を突出湾曲面状に形成した硬質或いは半硬質材料としたことを特徴とする腰掛式肛門部刺激具。【選択図】図１
2005304982.tif 000002
【特許請求の範囲】
【請求項１】
硬質或いは軟質の板面部及び該板面部の中央部より隆起した突出部とより構成され、該突出部は横幅約２０〜５０ｍｍ、前後の長さ約５０〜１５０ｍｍ、頂部までの高さ約３０〜１００ｍｍとし、該頂部面を突出湾曲面状に形成した硬質或いは半硬質材料としたことを特徴とする腰掛式肛門部刺激具。
【請求項２】
頂部の形状を、平滑面に近いなだらかな突出湾曲面状としたことを特徴とする請求項１に記載の腰掛式肛門部刺激具。
【請求項３】
頂部の形状を、山となる箇所を前後方向に適数個並設してなる波形状の突出湾曲面状としたことを特徴とする請求項１に記載の腰掛式肛門部刺激具。
【請求項４】
頂部の突出湾曲面状を、球形としたことを特徴とする請求項１に記載の腰掛式肛門部刺激具。
【請求項５】
突出部は、裾野部を頂部と比較して広く形成し、頂部に向って漸次狭くなる形状としたことを特徴とする請求項１ないし４のいずれかに記載の腰掛式肛門部刺激具。
【請求項６】
突出部は、裾野部と頂部の径を略同一とした円柱状突出部としたことを特徴とする請求項１ないし４のいずれかに記載の腰掛式肛門部刺激具。
【請求項７】
突出部の内部に、発熱部を形成したことを特徴とする請求項１ないし６のいずれかに記載の腰掛式肛門部刺激具。
【請求項８】
突出部の内部に、磁石を配設したことを特徴とする請求項１ないし７のいずれかに記載の腰掛式肛門部刺激具。
【請求項９】
突出部の内部に、マイナスイオン或いは低線量領域の放射線を放出する鉱物を配設したことを特徴とする請求項１ないし８のいずれかに記載の腰掛式肛門部刺激具。
【発明の詳細な説明】
【技術分野】
【０００１】
本発明は、臀部により隠蔽されている肛門及びその周辺部を直接刺激することが可能な腰掛式肛門部刺激具に関するものである。
【背景技術】
【０００２】
人体における各種疾患に対する治療の一手段として、人体経穴（ツボ）に針灸、指圧等により直接刺激を与えることが治療に効果があることが知られている。人体には約３６５穴のツボがあるとされ、それらは神経を通じて人体のいたるところにつながっており、当該ツボから疾患部を治療することが可能であるとされている。
【０００３】
ツボとは、皮膚の上から押えて感じる凹み点であり、筋肉と筋肉の境目、筋肉と腱、筋肉と骨等の境界点等に多く存在している。筋肉には筋膜という膜があり、そこには多くの神経が走っており、上記ツボを刺激することは該筋膜を刺激していることになる。その結果、内臓や様々な器官及び組織の活性化、消化液の分泌・排出作用、ホルモン系の活性化、血液循環の活性化、新陳代謝の促進、筋肉緊張のほぐし並びに細菌や各種障害からの防禦作用等を達成することが可能となるものである。
【特許文献１】特開２０００−２３３０２８号公報
【発明の開示】
【発明が解決しようとする課題】
【０００４】
上記ツボへの刺激の手段として、針、熱冷刺激としての灸、圧迫、摩擦、振動、光線、磁力、薬物、電流刺激等があるが、それらはいずれもツボなる部分を直接刺激することが必要であった。ところが肛門或いはその周辺部分は、臀部が邪魔をし、直接刺激することは困難であった。
また、該肛門周辺には肛門括約筋があり、肛門の閉鎖に重要な役割を有している。当該部分にもツボが存在することは知られているが、上記のようにその部分を直接刺激することはできなかった。
【課題を解決するための手段】
【０００５】
本発明は、上記課題を解決したもので、臀部により隠蔽されている肛門及びその周辺部を直接刺激することが可能な腰掛式肛門部刺激具で、その具体的構成は、硬質或いは軟質の板面部及び該板面部の中央部より隆起した突出部とより構成され、該突出部は横幅約２０〜５０ｍｍ、前後の長さ約５０〜１５０ｍｍ、頂部までの高さ約３０〜１００ｍｍとし、該頂部面を突出湾曲面状に形成した硬質或いは半硬質材料とした腰掛式肛門部刺激具を特徴とする。
【０００６】
また、上記頂部の形状を、平滑面に近いなだらかな突出湾曲面状とした腰掛式肛門部刺激具を特徴とする。
【０００７】
更に、上記頂部の形状を、山となる箇所を前後方向に適数個並設してなる波形状の突出湾曲面状とした腰掛式肛門部刺激具を特徴とする。
【０００８】
また、上記頂部の突出湾曲面状を、球形とした腰掛式肛門部刺激具を特徴とする。
【０００９】
更に、上記突出部は、裾野部を頂部と比較して広く形成し、頂部に向って漸次狭くなる形状とした腰掛式肛門部刺激具を特徴とする。
【００１０】
また、上記突出部は、裾野部と頂部の径を略同一とした円柱状突出部とした腰掛式肛門部刺激具を特徴とする。
【００１１】
更に、上記突出部の内部に、発熱部を形成した腰掛式肛門部刺激具を特徴とする。
【００１２】
また、上記突出部の内部に、磁石を配設した腰掛式肛門部刺激具を特徴とする。
【００１３】
更に、突出部の内部に、マイナスイオン或いは低線量領域の放射線を放出する鉱物を配設した腰掛式肛門部刺激具を特徴とする。
【発明の効果】
【００１４】
本発明の腰掛式肛門部刺激具は、通常では臀部が邪魔をして届かない肛門或いはその周辺部を刺激することが可能となり、運動不足や産後或いは老齢とともに衰える肛門括約筋の働きを活性化することが可能となった。
上記括約筋の刺激効果により、歩行及び各種スポーツにおける敏捷性を増すことが可能となった。
【００１５】
また、当該箇所の痒みや違和感に対してそれらを和らげることができ、爽快感を得ることが可能となった。
【００１６】
更に、発熱体により一層の温熱効果を得ることができ、血行を良くし、当該箇所の筋肉のほぐし、痔やその他の疾患に対して良好な状態を得ることが可能となった。
【００１７】
また、磁石による磁力効果により血行を良くし、細胞を活性化させることが可能となった。
【００１８】
更に、トルマリンや麦飯石のようにマイナスイオンや遠赤外線等の低線量領域の放射線を放出する鉱物により心身をリラックスさせ、血行を良くし、細胞を活性化させ自然治癒力を高めるとともに、体の酸化や老化を抑える効果が得られることを可能とした。
【発明を実施するための最良の形態】
【００１９】
以下、本発明を実施例に添って説明する。
【実施例１】
【００２０】
図１は、本発明の腰掛式肛門部刺激具の斜視図を示し、該腰掛式肛門部刺激具１は、臀部及びそれに続く大腿部を支持する板面部２並びにその中央部に隆起した突出部３とより構成している。
【００２１】
上記板面部２及び突出部３は一体成形品として製造され、該板面部２は硬質或いは軟質の材料を素材とし、突出部３は硬質或いは半硬質の材料を素材とし、それら素材には硬質・半硬質又は軟質のゴム、合成樹脂等が採用される。
【００２２】
該板面部２は、その表面側を平面状或いは臀部の丸みに添うように湾曲状に凹部を形成することができる。また、裏面側は摩擦の大きな材料や凹凸を形成することにより椅子やその他の敷設面からのずれを防止する構成とすることができる。
【００２３】
突出部３は、図１に示すように板面部２の前後位置４、５から漸次なだらかに隆起する突起状とされ、その頂部面は突出湾曲面を形成している。
【００２４】
該突出部３の裾野の横幅Ｗ１は約２０〜５０ｍｍ、前後の長さＷ２は約５０〜１５０ｍｍ、頂部での横幅Ｗ３及び奥行幅Ｗ４は約２０〜１００ｍｍが良好である。また、高さＨは約３０〜１００ｍｍが良好である。身体には個人差が大きいので、実験の結果ある程度の寸法幅は必要である。
【００２５】
上記突出部３の形状には様々なものが考えられ、図２に示すものは、裾野を広く形成し、頂部に向って漸次狭くなる湾曲面を形成して立ち上がり部６とし、頂部７を略平滑面に近いなだらかな突出湾曲面状とした富士山型形状としたものである。頂部７の奥行幅Ｗ４は約２０〜５０ｍｍが良好である。また、図３に示すものは、裾野からの立ち上がり部８は、上記同様凹型湾曲面とし、頂部９にいくつかの凸部を形成し波形としたものである。図３に示すものは、３箇所の頂部を設けている。山となる箇所をいくつか設け波形状突出湾曲面としたことにより、同時にいくつかのポイントを刺激することが可能となる。上記頂部９の奥行幅Ｗ５は約５０〜１５０ｍｍが良好である。
【００２６】
図４に示すものは、略垂直状に立設した立ち上がり部１０と球形頂部１１とよりなる棒状突起体として構成している。該球形頂部１１は、直径約２０〜５０ｍｍの球形の湾曲面を形成している。
【実施例２】
【００２７】
図５は、本発明の腰掛式肛門部刺激具の他の実施例の斜視図を示している。腰掛式肛門部刺激具１２は、上記実施例１と同様、板面部１３及び突出部１４で構成し、更に、該突出部１４の内部に発熱部１５を形成している。
【００２８】
図５に示す発熱部１５は、頂部１６に近接した内部に添ってコイル状或いは板状の発熱板１７を配設し、該発熱板１７の発熱の制御は、電池１８への通電のオン、オフを外部から行なうことにより可能としている。手動によるスイッチ、頂部１６に近づくことにより作動する近接スイッチ或いは圧力がかかることにより作動するスイッチ等が考えられる。電池１８は、板面部１３の底面側に形成した挿入口１９より適宜取り替えることができる。側面側に形成することも可能である。また、交流電源でも良い。
【００２９】
図６に示す腰掛式肛門部刺激具２０の発熱部２１は、頂部２２に近接した内部に添って空洞部２３を形成し、該空洞部２３に感圧式発熱体２４を挿入配設したものである。該感圧式発熱体２４は、板面部２５の底面側に形成した挿入口２６より押し込み或いは取り替えることができる。側面側に形成することも可能である。頂部２２に圧力をかけることにより空洞部２３に配設した感圧式発熱体２４内の発熱物質が反応し、発熱することになる。
【００３０】
上記発熱板１７、発熱体２４により、肛門部及びその周辺部への圧刺激と同時に、熱刺激を加えることが可能となる。
【実施例３】
【００３１】
図６の頂部２２に近接した内部或いは空洞部２３の位置に永久磁石２７又は電磁石２８を埋設或いは取り換え自由に配設する。該永久磁石２７は常時磁力線を放出し、電磁石は上記同様、手動・近接・圧接スイッチ等により作動して磁力線を放出するものである。
【００３２】
上記磁石２７、２８による磁力線により肛門或いはその周辺部の血行を良くし、細胞を活性化することができる。
【実施例４】
【００３３】
上記実施例３同様、空洞部２３にトルマリン、石英班岩、緑泥片岩、ジルコニア、麦飯石、北投石、珪石、ジャモン石、太陽石等のマイナスイオン、遠赤外線等の低線量領域の放射線を放出する鉱物２９を取り替え自在に、例えば袋状の物に入れ、詰め込んだものである。
【００３４】
これらの物質は、心身をリラックスさせ、血行を良くし、細胞を活性化することができる。
【００３５】
本発明では、腰掛式肛門部刺激具の突出部の突出高を高めに設定しておくことにより、臀部等を板面部に接することなく中腰状態で使用することも可能であり、利用者は適宜各人の身体に合った状態で使用することが可能である。また、身体を前後左右方向に動かすことによりツボや痒みの場所を探し出すことが容易にできる。
【図面の簡単な説明】
【００３６】
【図１】本発明の腰掛式肛門部刺激具の斜視図。
【図２】同突出部の斜視図。
【図３】同突出部の他の実施例の斜視図。
【図４】同突出部の他の実施例の斜視図。
【図５】本発明の腰掛式肛門部刺激具の他の実施例の斜視図。
【図６】本発明の腰掛式肛門部刺激具の他の実施例の斜視図。
【符号の説明】
【００３７】
１、１２、２０           腰掛式肛門部刺激具
２、１３、２５           板面部
３、１４                 突出部
４                        前位置
５                        後位置
６、８、１０             立ち上がり部
７、９、１６、２２      頂部
１１                      球形頂部
１５、２１                発熱部    
１７                      発熱板
１８                      電池
１９、２６                挿入口
２３                      空洞部
２４                      感圧式発熱体
２７                      永久磁石
２８                      電磁石
２９                      鉱物
【図１】
2005304982.tif 000003
【図２】
2005304982.tif 000004
【図３】
2005304982.tif 000005
【図４】
2005304982.tif 000006
【図５】
2005304982.tif 000007
【図６】
2005304982.tif 000008